(57)【要約】  容器（１）は、押し込まれたカップを分離させることによって形成され、側壁の下方部分（３）及び上方部分（７）は、それらの間において存在する可撓性の中央部分より更に剛性である。当該容器（１）は、側壁の上方部分（７）を一方の手に持ち、下部（５）における突出する溝（１９）を他方の手で保持することによって、単純に展開され得る。更に、当該容器（１）は、カップが展開された後に、側壁の下方部分（３）と上方部分（７）との間において下方向に押される円筒部（１３）を備える。
2011502903.tif 000002
【特許請求の範囲】
【請求項１】
塗料用の容器であって、
下部及び該下部に接続する垂直側壁を備える、上部において開放するカップを有し、
該カップは、該カップの前記側壁が少なくとも部分的に押し込まれる押込みパッケージ状態と前記側壁が引き出される使用時の展開状態とである、２種類の状態にされ得、
前記下部に対して取り付けられる前記側壁の下方部分及び前記開放部に境接する前記側壁の上方部分は、前記側壁の中間にある可撓性の中央部分より更に剛性であり、
前記パッケージ状態において前記上方部分及び前記下方部分は、入れ子状に伸縮自在であり、一方の部分が他方の部分の周囲において同軸に配置され、前記中央部分が少なくとも部分的に前記上方部分と前記下方部分との間において存在し、
前記使用時の状態を得るには、前記上方部分と前記下方部分とを分離した後に前記中央部分が前記上方部分と前記下方部分との間において密に延在する必要があり、
当該容器は更に、円筒部を有し、
該円筒部は、当該容器のパッケージ状態において、前記下方部分と前記上方部分との間において、あるいは当該容器の上方部分の周囲において、あるいは前記下方部分の内側において、同軸に配置され、また、当該容器の前記使用時の状態において当該容器は、前記上方部分と前記下方部分との間において留置され、その外側又は内側は、前記中央部分の内側又は外側と接触する、
容器。
【請求項２】
当該容器の使用時の状態において、前記円筒部の上方リムは、前記側壁の前記上方部分の下方リムと接触し、前記円筒部の下方リムは、前記側壁の前記下方部分の上方リムに接触する、
ことを特徴とする請求項１記載の容器。
【請求項３】
当該容器の前記パッケージ状態において、前記側壁の前記上方部分は、前記下方部分の周囲において同軸に配置され、前記中央部分は、少なくとも部分的に前記上方部分の前記内側と前記下方部分の前記外側との間において配置され、前記円筒部は、前記中央部分と前記上方部分との間において収容され、
当該容器の前記使用時の状態において、前記円筒部の前記外側は、前記側壁の前記中央部分の前記内側と接触する、
ことを特徴とする請求項１又は２記載の容器。
【請求項４】
前記円筒部は周方向において、少なくとも１つの箇所で中断されるため、前記中断のいずれの側においても前記円筒部の長手方向において境界リムが得られる、
ことを特徴とする請求項１乃至３のうちいずれか一項記載の容器。
【請求項５】
前記円筒部は、前記中断の前記境界リムの少なくとも一方において、他方のリムに対して結合するよう結合手段を与えられる、
ことを特徴とする請求項４記載の容器。
【請求項６】
前記結合手段は、前記境界リムに対して取り付けられるＵ字型断面を備える構成部分によって形成される一方、前記他方の境界リムを有する前記円筒部は、前記Ｕ字型の２つの平行な側部の間において動かされ得る、
ことを特徴とする請求項５記載の容器。
【請求項７】
前記側壁の前記下方部分及び／又は前記下部は、外方向に突出する溝を備え、該溝によって当該容器が前記分離中に保持され得る、
ことを特徴とする請求項１乃至６のうちいずれか一項記載の容器。
【発明の詳細な説明】
【技術分野】
【０００１】
本発明は、下部及び該下部に対して接続される垂直側壁を備える、上部において開放するカップを有する塗料用の容器に係る。該カップは、該カップの側壁が少なくとも部分的に押し込まれる押込みパッケージ状態と側壁が引き出される使用時の展開状態とである、２種類の状態にされ得る。下部に対して取り付けられる側壁の下方部分及び開放部（開口）に境接する側壁の上方部分は、側壁の中間にある可撓性の中央部分より更に剛性である。パッケージ状態において上方部分及び下方部分は、入れ子状に伸縮自在であり、一方の部分が他方の部分の周囲において同軸に配置され、中央部分が少なくとも部分的に上方部分と下方部分との間において存在する。使用時の状態を得るには、上方部分と下方部分とを分離した後に中央部分が上方部分と下方部分との間において密に延在する必要がある。
【背景技術】
【０００２】
この種類の容器は、ＤＥ−Ａ−２  ０３８  ０６９（特許文献１）から既知である。かかる既知の容器において、中央部分が作られる材料の強度は、容器の側壁の強度を決定する。頑丈な側壁が所望される場合、材料は強固（頑丈）なものであり、その結果、容器は、パッケージ状態（condition  of  packaging）から使用時の状態（condition  of  use）にするために更なる力が必要となってしまう。
【先行技術文献】
【特許文献】
【０００３】
【特許文献１】ＤＥ−Ａ−２  ０３８  ０６９
【発明の概要】
【発明が解決しようとする課題】
【０００４】
本発明は、冒頭において定義付けられた種類の容器を与えることを目的とする。当該容器の側壁は、使用時の状態においては頑丈且つ剛性である一方で、容器は、極僅かな力の適用によってパッケージ状態から使用時の状態にされ得る。この目的を達成するために、本発明に従った容器は、円筒部を更に有することを特徴とする。該円筒部は、容器のパッケージ状態においては下方部分と上方部分との間において、あるいは容器の上方部分の周囲に、あるいは下方部分の内側において、同軸に配置され、また、使用時の状態においては、容器は上方部分と下方部分との間において留置（detained）され、その内側又は外側は中央部分の内側又は外側と接触する。本発明に従った容器において、円筒部の強度は、容器の側壁の強度を実質的に決定する。故に長手方向に剛性である円筒部を用いることは、頑丈な側壁をもたらし得る。故に側壁の中央部分は軟性且つ柔軟であってよいため、容器をパッケージ状態から使用時の状態にするには、僅かな力が必要とされるのみである。
【課題を解決するための手段】
【０００５】
望ましくは、容器の使用時の状態において、円筒部の上方リムは側壁の上方部分の下方リムと接触し、円筒部の下方リムは側壁の下方部分の上方リムと接触する。
【０００６】
更には、容器のパッケージ状態において、側壁の上方部分は、望ましくは下方部分の周囲に同軸に配置され、中央部分は、少なくとも部分的に上方部分の内側と下方部分の外側との間において配置され、円筒部分は、望ましくは中央部分と上方部分との間において収容される。また、容器の使用時の状態においては、円筒部の外側は、望ましくは側壁の中央部分の内側と接触する。
【０００７】
本発明に従った容器の一実施例は、円筒部が周方向において少なくとも１つの箇所で中断されるため、該中断のいずれの側においても円筒部の長手方向に境界リムが得られる、ことを特徴とする。
【０００８】
中断の境界リムの少なくとも一方において、円筒部は、望ましくは他方の境界リムに対して結合するよう結合手段を与えられる。
【０００９】
結合手段は望ましくは、構成部分によって形成され、該構成部分は、Ｕ字型断面を備え、境界リムに対して取り付けられる一方、他方の境界リムを有する円筒部は、Ｕ字型の２つの平行な側部の間において動かされ得る。
【００１０】
本発明に従った容器の更なる一実施例は、側壁の下方部分及び／又は下部が外方向に突出する溝（gutter）を備え、該溝によって当該容器が分離中に保持され得る、ことを特徴とする。
【００１１】
以下の説明は、本発明に従った容器の非制限的な例として与えられる添付の図面に関連してなされ、本発明がどのように実現され得るかについてのよりよい理解を与える。
【図面の簡単な説明】
【００１２】
【図１】押し込まれた状態における本発明に従った容器の断面図である。
【図２】容器の平面図である。
【図３】円筒部が上部にある展開状態での容器の断面図である。
【図４】円筒部が最終位置にある容器の側面図である。
【発明を実施するための形態】
【００１３】
図１は、押し込まれた状態にける本発明に従った容器の一実施例の断面図である。容器１は、押し込まれたカップによって形成され、下部５が取り付けられる側壁の下方部分３、及び開放上部において境接する側壁の上方部分７は、それらの間において存在する側壁の可撓性の中央部分９より更に剛性である。押し込まれた状態において、上方部分７は、下方部分３の周囲に同軸に配置される。中央部分９は、上方部分の内側と下方部分の外側との間において配置される。上方部分７の上部においては、蓋１１が存在する。
【００１４】
容器１は更に、中央部分９と上方部分７との間において配置される円筒部１３を有する。図２において、円筒部１３は、個別に平面図で示される。円筒部１３は、周方向において１つの箇所で中断を有するため、円筒部の長手方向において中断のいずれの側にも境界リムがある。中断の境界リムの一方において、他の境界側に結合するよう結合手段がある。かかる結合手段は、Ｕ字型断面を備え且つ境界リムに対して取り付けられる構成部分によって形成される一方、円筒部は、Ｕ字型の２つの平行な側部の間において他方の境界リム１７を有して動かされ得る。結果として、円筒部の境界リムは、ある距離にわたって互いに出入りするよう動き得る一方、依然として互いに対して結合され続ける。
【００１５】
図３は、円筒部１３が上部にある展開状態における容器１の断面図を示す。容器１は、一方の手で側壁の上方部分７を、他方の手で下部５において突出する溝１９を保持することによって、単純に展開され得る。容器が引き出される前に、蓋１１における空気開口２１は、リップ部２３を蓋から離すことによって開放され得る。パッケージ状態において（図１参照）、側壁の上方部分７は、突出する溝において下部リムを有して留置される。
【００１６】
使用時の状態にされる容器１に対して、円筒部１３は、まず側壁の下方部分３と上方部分７との間において下方向に押し込まれ、その後円筒部１３は、可撓性の中央部分９の内側に対して開放する。図４を参照のこと。
【００１７】
本発明は、前述の開示において図面を参照して説明されてきたが、本発明が図面において示される実施例にいかようにも制限されない、ことは留意されるべきである。本発明はまた、請求項によって定義付けられる趣旨及び範囲内において、図面に示される実施例から逸脱する全ての実施例に関連するものである。
【図１】
2011502903.tif 000003
【図２】
2011502903.tif 000004
【図３】
2011502903.tif 000005
【図４】
2011502903.tif 000006
【国際調査報告】
2011502903.tif 000007
2011502903.tif 000008
2011502903.tif 000009